(57)【要約】【課題】ザッピングを行うユーザに対して迅速に有益な情報を提案する。【解決手段】視聴対象として選局されたチャンネルの番組を受信してディスプレイに表示させるテレビジョン受像機であって、前記チャンネルのザッピングの発生を検知するザッピング検知部と、前記ザッピングが検知された場合に、所定の記録媒体に記録されたコンテンツを再生可能な外部機器との通信を開始して当該外部機器を起動させる指示部と、前記ザッピングが継続する場合に、前記起動した前記外部機器に対して前記コンテンツの情報を要求する情報要求部と、前記要求に応じて前記外部機器から送信された情報に基づく前記コンテンツのリストである第１リストを前記ディスプレイに表示させる表示制御部とを備える。【選択図】図２
2016009910.tif 000002
【特許請求の範囲】
【請求項１】
視聴対象として選局されたチャンネルの番組を受信してディスプレイに表示させるテレビジョン受像機であって、
前記チャンネルのザッピングの発生を検知するザッピング検知部と、
前記ザッピングが検知された場合に、所定の記録媒体に記録されたコンテンツを再生可能な外部機器との通信を開始して当該外部機器を起動させる指示部と、
前記ザッピングが継続する場合に、前記起動した前記外部機器に対して前記コンテンツの情報を要求する情報要求部と、
前記要求に応じて前記外部機器から送信された情報に基づく前記コンテンツのリストである第１リストを前記ディスプレイに表示させる表示制御部と、を備えることを特徴とするテレビジョン受像機。
【請求項２】
前記ザッピングにより切り替えられる先のチャンネルが番組の本編を放送中である状態が繰り返される場合に、前記情報要求部は、前記外部機器に対して前記コンテンツの情報を要求し、
前記ザッピングにより切り替えられる先のチャンネルがテレビＣＭを放送中である状態が繰り返される場合に、前記表示制御部は、各チャンネルで現在の時間帯に視聴可能な番組のリストである第２リストを前記ディスプレイに表示させ、前記情報要求部は、当該第２リストに含まれるいずれの番組も視聴しない旨の指示を外部から受けた場合に、前記外部機器に対して前記コンテンツの情報を要求する、
ことを特徴とする請求項１に記載のテレビジョン受像機。
【請求項３】
前記ザッピング検知部は、前記検知したザッピングによる複数回のチャンネルの切り替えのうちの１回目のチャンネルの切り替え前に選局されていたチャンネルである元視聴対象チャンネルが、当該１回目のチャンネルの切り替え発生時にテレビＣＭを放送中であったか否か判定し、
前記表示制御部は、前記元視聴対象チャンネルが前記１回目のチャンネルの切り替え発生時にテレビＣＭを放送中であったと判定された場合、当該元視聴対象チャンネルによる当該ＣＭの放送が終了したら前記ディスプレイに当該元視聴対象チャンネルで放送される番組の本編の表示を再開させ、当該再開後に、前記チャンネルのザッピングが再び検知された場合にも前記第２リストを前記ディスプレイに表示させる、ことを特徴とする請求項２に記載のテレビジョン受像機。
【請求項４】
前記ザッピング検知部は、前記検知したザッピングによる複数回のチャンネルの切り替えのうちの１回目のチャンネルの切り替え発生時が、各チャンネルにおいて一定時間以上に亘ってテレビＣＭが放送される特定時間帯に該当するか否か判定し、
前記表示制御部は、前記１回目のチャンネルの切り替え発生時が前記特定時間帯に該当すると判定された場合、各チャンネルで前記特定時間帯終了後に視聴可能な番組のリストである第３リストを前記ディスプレイに表示させ、
前記情報要求部は、前記第３リストに含まれるいずれの番組も視聴しない旨の指示を外部から受けた場合に、前記外部機器に対して前記コンテンツの情報を要求する、ことを特徴とする請求項１〜請求項３のいずれかに記載のテレビジョン受像機。
【請求項５】
前記ザッピング検知部は、前記検知したザッピングによる複数回のチャンネルの切り替えのうちの１回目のチャンネルの切り替え前に選局されていたチャンネルである元視聴対象チャンネルが当該１回目のチャンネルの切り替え発生時に放送していた番組のジャンルを特定し、
前記表示制御部は、前記ザッピングが継続する場合に、各チャンネルで現在以降に視聴可能な前記特定されたジャンルの番組のリストである第４リストを前記ディスプレイに表示させ、
前記情報要求部は、前記第４リストに含まれるいずれの番組も視聴しない旨の指示を外部から受けた場合に、前記外部機器に対して前記コンテンツの情報を要求する、ことを特徴とする請求項１〜請求項４のいずれかに記載のテレビジョン受像機。
【請求項６】
前記表示制御部は、前記記録媒体に記録されたコンテンツのうち未再生のコンテンツのリストを前記第１リストとして前記ディスプレイに表示させることを特徴とする請求項１〜請求項５のいずれかに記載のテレビジョン受像機。
【請求項７】
視聴対象として選局されたチャンネルの番組を受信してディスプレイに表示させるテレビジョン受像機と、所定の記録媒体に記録されたコンテンツを再生可能なコンテンツ記録再生機器とを含むシステムであって、
前記テレビジョン受像機は、前記チャンネルのザッピングの発生を検知するザッピング検知部と、前記ザッピングが検知された場合に前記コンテンツ記録再生機器との通信を開始して当該コンテンツ記録再生機器を起動させる指示部と、前記ザッピングが継続する場合に、前記起動した前記コンテンツ記録再生機器に対して前記コンテンツの情報を要求する情報要求部と、前記要求に応じて前記コンテンツ記録再生機器から送信された情報に基づく前記コンテンツのリストである第１リストを前記ディスプレイに表示させる表示制御部とを備え、
前記コンテンツ記録再生機器は、前記テレビジョン受像機からの前記要求を受けた場合に、前記コンテンツの情報を前記テレビジョン受像機へ送信するコンテンツ情報送信部を備える、ことを特徴とするコンテンツ案内システム。
【発明の詳細な説明】
【技術分野】
【０００１】
本発明は、テレビジョン受像機およびコンテンツ案内システムに関する。
【背景技術】
【０００２】
ユーザは、テレビジョン受像機で視聴可能な各チャンネルをリモートコントローラ（以下、リモコン）等を操作して任意に切り替えて、所望のチャンネルを選局する。このとき、ユーザは、視聴したい番組を探すためにチャンネルの切り替えを繰り返す、いわゆるザッピングを行うこともある。
【０００３】
また、電子番組ガイド受信システムにおいて、ユーザのザッピング指定操作に従い、おすすめ判定手段によるおすすめ度の順位判定結果に基づいて、表示する番組をおすすめ度順に順次切り替えるザッピング手段であって、複数のザッピングサイクルを設定し、最初のザッピングサイクルでは、おすすめ度の高い番組を切り替え表示対象とし、ザッピングサイクルが切り替わる都度、切り替え前のザッピングサイクルで切り替え表示される番組よりもおすすめ度が低い番組を切り替え表示対象として追加するザッピング手段と、システムに接続されている録画再生機能または再生機能を有する外部機器に装着された記録媒体に記録されている再生可能な番組に関する、少なくとも当該番組を表す情報を含む外部機器情報を取得して記憶手段に記憶する外部機器情報取得手段と、を具備し、前記ザッピング手段は、前記最初のザッピングサイクルでは、ユーザの嗜好にあったおすすめ度の高い番組群を表すおすすめ番組表に掲載される番組群を切り替え表示対象とし、最終のザッピングサイクルでは、全番組に加えて、前記記憶手段に記憶されている前記外部機器情報によって表される、前記外部機器に装着された記録媒体に記録されている再生可能な番組を切り替え表示対象とする構成が知られている（特許文献１参照）。
【先行技術文献】
【特許文献】
【０００４】
【特許文献１】特許第３８４４９０１号
【発明の概要】
【発明が解決しようとする課題】
【０００５】
ユーザがザッピングをしている状況では、ユーザが視聴したい番組を決め兼ねていると言える。このような場合、ユーザに対して、視聴（再生）可能なコンテンツの存在を迅速に案内することができれば、ユーザにとって便利である。なお、前記文献１は、このような視聴（再生）可能なコンテンツの迅速な案内という点では十分な構成であるといは言えなかった。
【０００６】
本発明は少なくとも上述の課題を解決するためになされたものであり、ザッピングを行うユーザに対して迅速に有益な情報を提案することでユーザの利便性、快適性を向上させるテレビジョン受像機およびコンテンツ案内システムを提供する。
【課題を解決するための手段】
【０００７】
本発明の態様の一つは、視聴対象として選局されたチャンネルの番組を受信してディスプレイに表示させるテレビジョン受像機であって、前記チャンネルのザッピングの発生を検知するザッピング検知部と、前記ザッピングが検知された場合に、所定の記録媒体に記録されたコンテンツを再生可能な外部機器との通信を開始して当該外部機器を起動させる指示部と、前記ザッピングが継続する場合に、前記起動した前記外部機器に対して前記コンテンツの情報を要求する情報要求部と、前記要求に応じて前記外部機器から送信された情報に基づく前記コンテンツのリストである第１リストを前記ディスプレイに表示させる表示制御部とを備える。
【０００８】
本態様によれば、テレビジョン受像機では、ザッピング検知部がチャンネルのザッピングの発生を検知したことを契機として、指示部が、外部機器との通信を開始して外部機器を起動させる。そのため、ユーザがザッピングを継続している間に、外部機器の起動が完了し、その後、情報要求部からの前記要求に応じて外部機器は迅速に前記コンテンツの情報をテレビジョン受像機へ送信することができる（つまり、第１リストが迅速にテレビジョン受像機のディスプレイに表示される）。従って、ザッピングを行うユーザに対して、迅速に第１リストが提案され、ユーザは、第１リストの中から再生させたいコンテンツを選択することができる。
【０００９】
本発明の技術的思想は、テレビジョン受像機以外の態様によって実現されてもよい。
例えば、テレビジョン受像機と外部機器（コンテンツ記録再生機器）とを含むシステムであって、前記テレビジョン受像機は、前記チャンネルのザッピングの発生を検知するザッピング検知部と、前記ザッピングが検知された場合に前記コンテンツ記録再生機器との通信を開始して当該コンテンツ記録再生機器を起動させる指示部と、前記ザッピングが継続する場合に、前記起動した前記コンテンツ記録再生機器に対して前記コンテンツの情報を要求する情報要求部と、前記要求に応じて前記コンテンツ記録再生機器から送信された情報に基づく前記コンテンツのリストである第１リストを前記ディスプレイに表示させる表示制御部とを備え、前記コンテンツ記録再生機器は、前記テレビジョン受像機からの前記要求を受けた場合に、前記コンテンツの情報を前記テレビジョン受像機へ送信するコンテンツ情報送信部を備えるコンテンツ案内システムを、一つの発明として捉えることができる。
【００１０】
また、テレビジョン受像機、外部機器（コンテンツ記録再生機器）、前記システム、それぞれが実行する工程と同様の工程を含む各方法も発明として捉えることができる。また、このような各方法を、ハードウェア（テレビジョン受像機、外部機器（コンテンツ記録再生機器）、前記システム、に相当するハードウェア）に実行させるためのプログラムや、当該プログラムを記憶したコンピュータ読取可能な記憶媒体を、それぞれ発明として捉えることができる。
【図面の簡単な説明】
【００１１】
【図１】装置やシステムの概略構成を例示するブロック図。
【図２】第１実施例にかかるコンテンツ案内処理を示すフローチャート。
【図３】コンテンツリスト画面（第１リスト）を例示する図。
【図４】第２実施例にかかるコンテンツ案内処理を示すフローチャート。
【図５】第２実施例にかかるコンテンツ案内処理を示すフローチャート。
【図６】現在番組リスト画面（第２リスト）を例示する図。
【図７】次枠番組リスト画面（第３リスト）を例示する図。
【図８】第３実施例にかかるコンテンツ案内処理を示すフローチャート。
【図９】同ジャンル番組リスト画面（第４リスト）を例示する図。
【発明を実施するための形態】
【００１２】
本発明の実施形態として、前記ザッピングにより切り替えられる先のチャンネルが番組の本編を放送中である状態が繰り返される場合に、前記情報要求部は、前記外部機器に対して前記コンテンツの情報を要求し、前記ザッピングにより切り替えられる先のチャンネルがテレビＣＭ（Commercial Message）を放送中である状態が繰り返される場合に、前記表示制御部は、各チャンネルで現在の時間帯に視聴可能な番組のリストである第２リストを前記ディスプレイに表示させ、前記情報要求部は、当該第２リストに含まれるいずれの番組も視聴しない旨の指示を外部から受けた場合に、前記外部機器に対して前記コンテンツの情報を要求するとしてもよい。
【００１３】
また、本発明の実施形態として、前記ザッピング検知部は、前記検知したザッピングによる複数回のチャンネルの切り替えのうちの１回目のチャンネルの切り替え前に選局されていたチャンネルである元視聴対象チャンネルが、当該１回目のチャンネルの切り替え発生時にテレビＣＭを放送中であったか否か判定し、前記表示制御部は、前記元視聴対象チャンネルが前記１回目のチャンネルの切り替え発生時にテレビＣＭを放送中であったと判定された場合、当該元視聴対象チャンネルによる当該ＣＭの放送が終了したら前記ディスプレイに当該元視聴対象チャンネルで放送される番組の本編の表示を再開させ、当該再開後に、前記チャンネルのザッピングが再び検知された場合にも前記第２リストを前記ディスプレイに表示させるとしてもよい。
【００１４】
また、本発明の実施形態として、前記ザッピング検知部は、前記検知したザッピングによる複数回のチャンネルの切り替えのうちの１回目のチャンネルの切り替え発生時が、各チャンネルにおいて一定時間以上に亘ってテレビＣＭが放送される特定時間帯に該当するか否か判定し、前記表示制御部は、前記１回目のチャンネルの切り替え発生時が前記特定時間帯に該当すると判定された場合、各チャンネルで前記特定時間帯終了後に視聴可能な番組のリストである第３リストを前記ディスプレイに表示させ、前記情報要求部は、前記第３リストに含まれるいずれの番組も視聴しない旨の指示を外部から受けた場合に、前記外部機器に対して前記コンテンツの情報を要求するとしてもよい。
【００１５】
また、本発明の実施形態として、前記ザッピング検知部は、前記検知したザッピングによる複数回のチャンネルの切り替えのうちの１回目のチャンネルの切り替え前に選局されていたチャンネルである元視聴対象チャンネルが当該１回目のチャンネルの切り替え発生時に放送していた番組のジャンルを特定し、前記表示制御部は、前記ザッピングが継続する場合に、各チャンネルで現在以降に視聴可能な前記特定されたジャンルの番組のリストである第４リストを前記ディスプレイに表示させ、前記情報要求部は、前記第４リストに含まれるいずれの番組も視聴しない旨の指示を外部から受けた場合に、前記外部機器に対して前記コンテンツの情報を要求するとしてもよい。
【００１６】
また、本発明の実施形態として、前記表示制御部は、前記記録媒体に記録されたコンテンツのうち未再生のコンテンツのリストを前記第１リストとして前記ディスプレイに表示させるとしてもよい。
【００１７】
以下、図面を参照しながら本発明の実施形態を更に説明する。以下の実施形態では、視聴対象として選局されたチャンネルの番組を受信してディスプレイに表示させるテレビジョン受像機（以下、ＴＶ）１０と、録画対象として選局されたチャンネルの番組を受信して記録媒体に記録（録画）可能なハードディスクレコーダ（以下、レコーダ）３０とを含むシステム１に本発明を適用した場合について説明する。レコーダ３０は、所定の記録媒体に記録されたコンテンツ（以下、記録済みコンテンツ）を再生可能な外部機器（コンテンツ記録再生機器）の一例である。ただし、このような外部機器（コンテンツ記録再生機器）は、ハードディスクレコーダ以外にも、ＰＣ（パーソナルコンピュータ）、タブレット型端末、ゲーム機器、その他の各種携帯型端末等であってもよい。
本実施形態において“記録済みコンテンツ”とは、録画された番組（テレビ番組）を含む概念であるが、番組以外にも、例えば、インターネットで公開されたサイトからダウンロードされて記録媒体に記録された動画や、ユーザがビデオカメラ等で撮影して記録媒体に記録した動画等、様々な種類のコンテンツが含まれる。
【００１８】
（装置の概略）
図１に例示するように、ＴＶ１０は、チューナ１１と、信号処理部１２と、ＥＰＧ（Electronic Program Guide：電子番組ガイド）データ抽出部１３と、ＯＳＤ（On-Screen Display）部１４と、合成部１５と、出力部１６と、ディスプレイ１７と、リモコン受信部１８と、通信インターフェイス（ＩＦ）１９と、制御部２０とを含んでおり、これらはバス２１を介して接続されている。制御部２０は、例えばＣＰＵ２２、ＲＯＭ２３、ＲＡＭ２４等を含むＩＣである。ディスプレイ１７には、液晶パネル、プラズマパネル、有機ＥＬパネル等が該当する。
【００１９】
チューナ１１には、アンテナ（図示省略）が接続されており、例えば、チューナ１１は、地上デジタル放送、ＢＳデジタル放送、ＣＳデジタル放送等の様々なテレビ放送を受信する。チューナ１１は、受信した放送信号を信号処理部１２およびＥＰＧデータ抽出部１３に出力する。チューナ１１が出力する放送信号には、番組を構成する映像音声情報および放送予定の複数の番組の番組情報（ＥＰＧデータ）が含まれている。ＥＰＧデータは、番組毎の、チャンネル名、番組名、解像度やビットレートなどの画質情報、番組の長さ（時間長）、開始時間、終了時間、その他、番組に関する詳細情報などを含む。この詳細情報には、番組の出演者名を示す出演者情報や、番組の内容のジャンルを示すジャンル情報や、番組内容の説明等が含まれる。ＥＰＧデータ抽出部１３は、チューナ１１から入力された放送信号から定期的あるいは不定期に、その時点で最新のＥＰＧデータを抽出する。そして、抽出されたＥＰＧデータは、ＲＯＭ２３等に記憶される。
【００２０】
信号処理部１２は、デコーダなどを有しており、チューナ１１から入力された信号に対して復調等の所定の処理を施す。そして、信号処理部１２は、所定の処理が施された信号を合成部１５に出力する。
【００２１】
ＯＳＤ部１４は、ＯＳＤ信号を生成するとともに、生成したＯＳＤ信号を合成部１５に出力する。ＯＳＤ部１４は、例えば、ＲＯＭ２３等に記憶されているＥＰＧデータに基づいて、電子番組表を表示するためのＯＳＤ信号を生成することが可能である。また、ＯＳＤ部１４は、後述するような各種画面（符号Ｇ２，Ｇ３，Ｇ４参照）を表示するためのＯＳＤ信号を生成する。合成部１５は、信号処理部１２から入力された信号に、ＯＳＤ部１４から入力されたＯＳＤ信号を重畳して出力部１６に出力する。
【００２２】
リモコン受信部１８は、フォトダイオードなどを含み、外部のリモコン２から出力されるリモコン信号を受信する。制御部２０では、ＣＰＵ２２が、ＴＶ１０の動作を所定のプログラムに従って制御する。ＲＯＭ２３は、書き換え可能な不揮発性のメモリであり、たとえば、フラッシュメモリである。ＲＯＭ２３は、前記プログラムや、数日間分のＥＰＧデータなどを記憶する。ＲＡＭ２４は、たとえば、ＤＲＡＭであり、前記プログラムが実行される際にデータなどを一時的に記憶する。
【００２３】
通信ＩＦ１９は、所定の通信規格に則って有線または無線によりレコーダ３０と通信する。所定の通信規格の一例としては、ＨＤＭＩ（High-Definition Multimedia Interface）の規格が挙げられる。ＨＤＭＩ規格によれば、ＣＥＣ（Consumer Electronics Control）によってＴＶ１０とレコーダ３０の間でコマンドが通信され、ＴＶ１０に対するリモコン２の操作でレコーダ３０を動作させたり、レコーダ３０に対するリモコン２の操作でＴＶ１０を動作させたりすることができる。
【００２４】
レコーダ３０は、チューナ３１と、ＨＤＤ（Hard disk drive）部３２と、ＤＶＤ（Digital Versatile Disk）部３３と、信号処理部３４と、ＯＳＤ部３５と、合成部３６と、リモコン受信部３８と、通信ＩＦ３９と、制御部４０とを含んでおり、これらはバス４１を介して接続されている。制御部４０は、例えばＣＰＵ４２、ＲＯＭ４３、ＲＡＭ４４等を含むＩＣである。チューナ３１には、アンテナ（図示省略）が接続されており、例えば、チューナ１１と同様に様々なテレビ放送を受信する。チューナ３１は、受信した放送信号を信号処理部３４に出力する。
【００２５】
ＨＤＤ部３２は、ハードディスク等を有しており、チューナ３１が受信した放送信号に含まれた番組を録画する等して、ハードディスク内に各種“記録済みコンテンツ”を保持している。また、ＨＤＤ部３２は、記録済みコンテンツの映像音声情報を信号処理部３４に出力する。ＤＶＤ部３３は、ディスクトレイや光ピックアップなどを有しており、ディスクトレイに載置されたＤＶＤ（図示省略）に対する読み込みおよび書き込みを行う。ハードディスクは、レコーダ３０に内蔵されたものに限らず、いわゆる外付けされたものであってもよい。ＤＶＤ部３３は、ＤＶＤから読み込んだ映像音声情報を信号処理部３４に出力する。むろん、ＤＶＤ部３３は、ＤＶＤ以外の光ディスク（ＣＤやブルーレイディスク等）に対する読み込みおよび書き込みを実行可能な製品でもよい。また、レコーダ３０は、ＤＶＤ部３３を有していなくてもよい。
【００２６】
信号処理部３４は、デコーダなどを有しており、チューナ３１、ＨＤＤ部３２、ＤＶＤ部３３から入力された信号に対して復調等の所定の処理を施す。そして、信号処理部３４は、所定の処理が施された信号を合成部３６に出力する。ＯＳＤ部３５は、ＯＳＤ信号を生成するとともに、生成したＯＳＤ信号を合成部３６に出力する。ＯＳＤ部３５は、例えば、後述するような画面（符号Ｇ１参照）を表示するためのＯＳＤ信号を生成する。合成部３６は、信号処理部３４から入力された信号に、ＯＳＤ部３５から入力されたＯＳＤ信号を重畳して通信ＩＦ３９に出力する。
【００２７】
通信ＩＦ３９は、前記所定の通信規格に則ってＴＶ１０と通信する。通信ＩＦ３９は、合成部３６から入力された信号をＴＶ１０へ送信する。ＴＶ１０側では、出力部１６は、合成部１５から入力された信号をディスプレイ１７に出力する。あるいは、出力部１６は、通信ＩＦ１９を通じてレコーダ３０から受信した信号をディスプレイ１７に出力する。この結果、ディスプレイ１７は、放送中の番組や、画面Ｇ１，Ｇ２，Ｇ３，Ｇ４や、記録済みコンテンツなどを表示し、また、放送中の番組や記録済みコンテンツの音声を不図示のスピーカから出力する。
【００２８】
リモコン受信部３８は、フォトダイオードなどを含み、リモコン２から出力されるリモコン信号を受信する。制御部４０では、ＣＰＵ４２が、ＲＯＭ４３に記憶された所定のプログラムに従ってレコーダ３０の動作を制御する。ＲＯＭ４３は、書き換え可能な不揮発性のメモリであり、たとえば、フラッシュメモリである。ＲＡＭ４４は、たとえば、ＤＲＡＭであり、当該プログラムが実行される際にデータなどを一時的に記憶する。ＴＶ１０やレコーダ３０を操作するリモコン２の数は１台でも複数台でもよい。
【００２９】
（第１実施例）
図２は、第１実施例にかかるコンテンツ案内処理を示すフローチャートである。当該フローチャートの各ステップは、制御部２０による制御下で実行される。
当該フローチャートは、ＴＶ１０が受信可能ないずれかのチャンネルにかかる番組をディスプレイ１７に表示している状況、つまり、リモコン２等の操作で視聴対象として選局されたチャンネルで放送中の番組をユーザに視聴させている状況（ステップＳ１００）で開始される。
【００３０】
ステップＳ１１０では、制御部２０は、リモコン受信部１８によるリモコン信号の受信状況を監視することにより、ザッピングが発生したか否か判定する。ザッピングとは、リモコン２からのリモコン信号によりチャンネルの切り替え指示が比較的短い間隔で繰り返されることを言い、チャンネルが１回切り替えられただけではザッピングと判断しない。制御部２０は、例えば、所定間隔（５秒程度）以内でのチャンネルの切り替えが所定回数（２回程度）以上繰り返されたときに、ザッピング発生と判定し（ザッピング発生の検知成功）、ステップＳ１２０へ進む。制御部２０は、ザッピング発生の検知に成功するまで、ステップＳ１１０の判定を繰り返す。なお、ザッピングと判定するための前記所定間隔および所定回数の設定は、ＴＶメーカーやユーザによる任意とすることができる。制御部２０は、ステップＳ１１０を実行する点で、少なくともザッピング検知部として機能すると言える。
【００３１】
ステップＳ１２０では、制御部２０は、通信ＩＦ１９を介してレコーダ３０との通信を開始する（通信ＩＦ１９を介してレコーダ３０へ通信開始リクエストを送信する）。ステップＳ１２０前の時点では、レコーダ３０は、電源オフ状態（スタンバイ状態）である。レコーダ３０は、このようなＴＶ１０側からの通信開始リクエストを通信ＩＦ３９を介して受信したことをトリガーとして、スタンバイ状態から起動を開始する。レコーダ３０がスタンバイ状態から起動を完了するまでにはある程度の時間を要する。制御部２０は、ステップＳ１２０を実行する点で、少なくとも外部機器を起動させる指示部として機能すると言える。
【００３２】
ステップＳ１３０では、制御部２０は、前記ザッピングが継続しているか否か判定する。なお、ステップＳ１３０における判定は、ステップＳ１２０の後に開始するものであってもよいし、ステップＳ１２０と並行（ステップ１３０の判定のバックグラウンドでレコーダ３０を起動させる）としてもよい。例えば、制御部２０は、ステップＳ１１０でザッピング発生と判定した時点以後さらに所定間隔以内でのチャンネルの切り替えが１回（あるいは複数回）されている場合に、前記ザッピングが継続していると判定する（ステップＳ１５０へ進む）。一方、前記ザッピングが継続していないと判定した場合は、ステップＳ１４０へ進み、そのとき選局されているチャンネル（直近のチャンネルの切り替えによって選局されたチャンネル）で受信される番組をディスプレイ１７に表示させ、かつ当該番組の音声をスピーカから出力させる。つまり、ザッピングが止まったときに選局されているチャンネルで放送中の番組をユーザに視聴させる。ザッピングが一旦検知された後にザッピングが止まった場合、放送中の番組を視聴する意思をユーザが示したと言えるため、制御部２０は、通信ＩＦ１９を介してレコーダ３０へ起動停止を指示する。起動停止の指示を通信ＩＦ３９を介して受信したレコーダ３０は起動停止して電源オフ状態（スタンバイ状態）へ戻る。
【００３３】
ステップＳ１５０では、制御部２０は、レコーダ３０に記録済みコンテンツの情報を要求する（通信ＩＦ１９を介してレコーダ３０へコンテンツ情報リクエストを送信する）。制御部２０は、ステップＳ１５０を実行する点で、少なくとも外部機器に対してコンテンツの情報を要求する情報要求部として機能すると言える。レコーダ３０は、このようなＴＶ１０側からのコンテンツ情報リクエストを通信ＩＦ３９を介して受信したことをトリガーとして、その時点でハードディスクに保持している記録済みコンテンツのリストを作成する。
【００３４】
具体的には、レコーダ３０側では、制御部４０がＯＳＤ部３５に記録済みコンテンツのリスト作成を指示し、ＯＳＤ部３５が、記録済みコンテンツのタイトルのリストであるコンテンツリスト画面Ｇ１を生成する。このようなコンテンツリスト画面Ｇ１を表すＯＳＤ信号が、合成部３６、通信ＩＦ３９を通じて、ＴＶ１０側に送信される。図２では、レコーダ３０側の動作（の一部）を破線で囲った矩形内に記している。この結果、ステップＳ１６０では、ＴＶ１０は、通信ＩＦ１９を通じてレコーダ３０から受信したコンテンツリスト画面Ｇ１を表すＯＳＤ信号に応じて、ディスプレイ１７にコンテンツリスト画面Ｇ１を表示させる。このようなコンテンツリスト画面Ｇ１の表示に関わるＴＶ１０における各構成は、前記コンテンツ情報リクエストに応じて外部機器から送信された情報に基づくコンテンツのリストである第１リスト（コンテンツリスト画面Ｇ１）をディスプレイに表示させる表示制御部として機能すると言える。また、レコーダ３０は、ＴＶ１０側からのコンテンツ情報リクエストを通信ＩＦ３９を介して受信することにより、前記コンテンツの情報（コンテンツリスト画面Ｇ１を表すＯＳＤ信号）をＴＶ１０へ送信するコンテンツ情報送信部として機能すると言える。
【００３５】
図３は、ステップＳ１６０でディスプレイ１７に表示されるコンテンツリスト画面Ｇ１の一例である。コンテンツリスト画面Ｇ１には、複数の記録済みコンテンツについてのタイトル（番組名等）が列挙されている。コンテンツリスト画面Ｇ１が表示された後は、外部からの操作（ユーザが使用するリモコン２等の操作）に応じて、記録済みコンテンツの再生が実行されたりする（ステップＳ１７０）。つまりユーザは、リモコン２等を操作することにより、コンテンツリスト画面Ｇ１に表示された複数の記録済みコンテンツの中から記録済みコンテンツを任意に選択し、例えば所定の決定キーを押すことで、当該選択した記録済みコンテンツの再生を指示することができる。レコーダ３０は、当該再生の指示をリモコン２等から受けた場合（あるいは、当該再生の指示をリモコン２等から受けたＴＶ１０から当該再生の指示を通知された場合）、そのとき選択されている記録済みコンテンツの再生を開始する。この結果、再生された記録済みコンテンツの映像がディスプレイ１７に表示され、かつ当該録画済みコンテンツの音声がスピーカから出力される。
【００３６】
一方、ユーザが、リモコン２等を操作することにより、コンテンツリスト画面Ｇ１に表示された複数の記録済みコンテンツのいずれの再生もしない旨の指示をした場合（例えば、所定の停止キーを押した場合）、ＴＶ１０は、当該指示を受けたことを契機として起動停止して電源オフ状態（スタンバイ状態）へ遷移する。また、ＴＶ１０は、自機を電源オフすることと伴って、レコーダ３０にも起動停止を指示し、レコーダ３０も起動停止して電源オフ状態（スタンバイ状態）へ遷移する。
【００３７】
このような第１実施例によれば、ＴＶ１０では、ザッピング検知部がチャンネルのザッピングの発生を検知したことを契機として、指示部がレコーダ３０との通信を開始してレコーダ３０を起動させる。そのため、ユーザがザッピングを継続している間に、レコーダ３０の起動が完了し、その後、情報要求部による要求（コンテンツ情報リクエスト）があった場合に、レコーダ３０は迅速に記録済みコンテンツの情報（コンテンツリスト画面Ｇ１を表すＯＳＤ信号）をＴＶ１０へ送信することができる（つまり、コンテンツリスト画面Ｇ１が迅速にディスプレイ１７に表示される）。従って、ザッピングをして何を視聴すべきか迷っているユーザに対して、迅速にコンテンツリスト画面Ｇ１が提案され、ユーザは、コンテンツリスト画面Ｇ１の中から再生させたいコンテンツを任意に選択することができる。このような発明によれば、ユーザにとってのＴＶ１０の利便性や視聴の快適性が向上したと言える。
【００３８】
なお、レコーダ３０が生成するコンテンツリスト画面Ｇ１は、その時点でハードディスクに保持している全ての記録済みコンテンツのタイトルのリストであってもよいが、未再生（今迄一度も再生されていない）の記録済みコンテンツだけを抽出したリストであってもよい。つまり、レコーダ３０は、その時点でハードディスクに保持している全ての記録済みコンテンツのうち、過去の再生履歴を参照する等して未再生の記録済みコンテンツを抽出してそれらのリストであるコンテンツリスト画面Ｇ１を表すＯＳＤ信号を生成する。このようなコンテンツリスト画面Ｇ１を表すＯＳＤ信号（未再生のコンテンツの情報）がＴＶ１０側へ送信されることで、ステップＳ１６０では、未再生の記録済みコンテンツだけを列挙したリストであるコンテンツリスト画面Ｇ１をユーザに提示することができる。かかる構成によれば、再生対象とする記録済みコンテンツをユーザが選択する際の負担が軽減される。
【００３９】
実施形態は上述の内容に限られるものではなく種々の態様が考えられ、後述するような各実施例を採用可能である。本明細書における実施形態や実施例を適宜組み合わせた構成も、本発明の開示範囲に入る。以下では、既に説明した事項が適宜適用されるものとし、主に、既に説明した事項と異なる点を主に説明する。
例えば、ザッピング検知部がチャンネルのザッピングの発生を検知したことを契機として、指示部がレコーダ３０との通信を開始してレコーダ３０を起動させる構成は、各実施例に共通であるため、そのような構成に起因する処理の迅速化という効果も各実施例に共通である。
【００４０】
（第２実施例）
図４および図５は、第２実施例にかかるコンテンツ案内処理を示すフローチャートである。当該フローチャートの各ステップは、制御部２０による制御下で実行される。
ステップＳ２００，Ｓ２１０，Ｓ２２０は、図２のステップＳ１００，Ｓ１１０，Ｓ１２０と同じである。
【００４１】
ステップＳ２３０では、制御部２０は、ステップＳ２１０で発生を検知したザッピングによる複数回のチャンネルの切り替えのうちの１回目のチャンネルの切り替え前に選局されていたチャンネル（元視聴対象チャンネル）が、当該１回目のチャンネルの切り替え発生時にテレビＣＭ（以下、ＣＭ）を放送中であったか番組の本編を放送中であったか判定する。元視聴対象チャンネルとは、ステップＳ２００の時点で選局していたチャンネル（ユーザが元々視聴していたチャンネル）である。つまり、ユーザがあるチャンネルの視聴中（ステップＳ２００）、そのチャンネルでＣＭが放送されているタイミングでザッピングをしたのか、番組の本編が放送されているタイミングでザッピングをしたのかを判定する。あるチャンネルによるあるタイミングでの放送内容が、番組の本編であったかＣＭであったかは、放送信号に多重されたＴＳ（トランスポートストリーム）を解析することにより判定できる。なお、番組の本編とは、番組そのものであるが、ＣＭと区別するため番組の本編という表現を用いる。また、元視聴対象チャンネルは、簡単に“元チャンネル”とも呼ぶ。前記１回目のチャンネルの切り替え発生時に元チャンネルがＣＭを放送中であった場合は、ステップＳ３２０へ進み、前記１回目のチャンネルの切り替え発生時に元チャンネルが番組の本編を放送中であった場合は、ステップＳ２４０へ進む。
【００４２】
元チャンネルが番組の本編を放送中であったタイミングでユーザがザッピングを行ったということは、元チャンネルの番組を視聴する意思が無い（少ない）と推測されるため、ステップＳ２４０以降では、このような推測に則した処理が行われる。
ステップＳ２４０では、制御部２０は、図２のステップＳ１３０と同様に前記ザッピングが継続しているか否か判定するが、併せて、前記ザッピングにより切り替えられる先のチャンネルが番組の本編を放送中である状態が繰り返されるか、前記ザッピングにより切り替えられる先のチャンネルがＣＭを放送中である状態が繰り返されるかも判定する。まず、ステップＳ２４０において、前記ザッピングが継続していないと判定した場合は、図２のステップＳ１３０からステップＳ１４０へ進んだ場合と同様に、ステップＳ２５０へ進む。ステップＳ２５０は、図２のステップＳ１４０と同じである。
【００４３】
一方、前記ザッピングが継続している場合において、前記ザッピングにより切り替えられる先のチャンネルが番組の本編を放送中である状態が繰り返される場合、ステップＳ２９０へ進み、前記ザッピングにより切り替えられる先のチャンネルがＣＭを放送中である状態が繰り返される場合、ステップＳ２６０へ進む。
【００４４】
例えば、ステップＳ２００で選局されていたチャンネル（元チャンネル）が、チャンネルＡであり、チャンネルＡで番組の本編放送中のタイミングで、チャンネルＢ→チャンネルＣ→チャンネルＤ→チャンネルＥ→チャンネルＦ…というようにチャンネルが短い間隔で次々切り替えられた（ザッピングがされた）とする。この場合、例えば、チャンネルＣが選局されたあたりのタイミングで、制御部２０はザッピング発生と判定でき（ステップＳ２１０において“Ｙｅｓ”）、レコーダ３０を起動させる（ステップＳ２２０）。仮に、チャンネルＣが選局された後、前記のようなチャンネルの切り替えが続かなければ、処理はステップＳ２４０からステップＳ２５０へ進み、そのままチャンネルＣが選局された状態が維持される（ユーザはＴＶ１０でチャンネルＣの放送内容を視聴し、レコーダ３０は電源オフ状態に戻る）。一方、チャンネルＣ→チャンネルＤ→チャンネルＥ→チャンネルＦ…というようにザッピングされていく過程で、各チャンネルＣ，Ｄ，Ｅ，Ｆ…のすべて（あるいは殆ど）が番組の本編を放送中であった場合、処理はステップＳ２４０からステップＳ２９０へ進み、各チャンネルＣ，Ｄ，Ｅ，Ｆ…のすべて（あるいは殆ど）がＣＭを放送中であった場合、処理はステップＳ２４０からステップＳ２６０へ進む。
【００４５】
ステップＳ２９０は、図２のステップＳ１５０と同じである。切り替え先のチャンネルが番組の本編を放送中であるにもかかわらずチャンネルの切り替えが繰り返されるということは、現在放送中の各チャンネルの番組に、ユーザが視聴したい番組が無い可能性が高いと言えるため、制御部２０は後述するステップＳ２６０，Ｓ２７０を経ずに、ステップＳ２９０に進む。図４においても、図２と同様の内容であるがレコーダ３０側の動作（の一部）を破線で囲った矩形内に記している。また、ステップＳ３００，Ｓ３１０は、図２のステップＳ１６０，Ｓ１７０と同じである。
【００４６】
ステップＳ２６０では、制御部２０は、ＯＳＤ部１４に各チャンネルで現在の時間帯に視聴可能な番組のリストの作成を指示し、ＯＳＤ部１４が、ＥＰＧデータ抽出部１３によって抽出されているＥＰＧデータを参照して、各チャンネルで現在の時間帯に視聴可能な番組のリストである第２リスト（現在番組リスト画面Ｇ２）を生成する。このような現在番組リスト画面Ｇ２を表すＯＳＤ信号が、合成部１５、出力部１６を通じて、ディスプレイ１７へ出力される。この結果、ステップＳ２６０では、ディスプレイ１７に現在番組リスト画面Ｇ２が表示される。
【００４７】
図６は、ステップＳ２６０でディスプレイ１７に表示される現在番組リスト画面Ｇ２の一例である。現在番組リスト画面Ｇ２には、ＴＶ１０が放送信号を受信可能なチャンネル毎の、現在の時間帯の番組（ただし今現在においてはＣＭ放送中）のタイトル等が列挙されている。なお、現在番組リスト画面Ｇ２には、現在の時間帯の番組のタイトルに加えて、今後数時間の間に各チャンネルで放送される番組の情報も記載されていてもよい。つまり、切り替え先のチャンネルがＣＭを放送中である状況でのチャンネルの切り替えが繰り返されるということは、現在の時間帯の各チャンネルの番組にユーザが視聴したい番組が有る可能性が高く、かつ、ユーザは視聴したい番組を見つけられていないと言えるため、現在番組リスト画面Ｇ２をユーザに提示するのである。
【００４８】
現在番組リスト画面Ｇ２が表示された後は、制御部２０は、外部からの操作（ユーザが使用するリモコン２等の操作）に応じて、現在番組リスト画面Ｇ２に挙げられたいずれかの番組を視聴する旨の指示を受けたか否か判定する（ステップＳ２７０）。ユーザは、リモコン２等を操作することにより、現在番組リスト画面Ｇ２に表示された複数の番組の中から番組を任意に選択し、例えば所定の決定キーを押すことで、当該選択した番組を視聴する旨を指示することができる。制御部２０は、当該視聴の旨の指示をリモコン２等から受けた場合（ステップＳ２７０において“Ｙｅｓ”）、ステップＳ２８０へ進み、そのとき選択されている番組を放送するチャンネルを選局すべくチューナ１１を制御し、選局したチャンネルで放送中の番組を受信させる。この結果、しばらく（例えば数十秒程度）はＣＭ中であるが、ＣＭ明けには現在番組リスト画面Ｇ２からユーザが選択した番組の本編の映像がディスプレイ１７に表示され、かつ当該番組の音声がスピーカから出力される。つまり、現在番組リスト画面Ｇ２からユーザが選択した番組をユーザに視聴させる。
【００４９】
なお、現在番組リスト画面Ｇ２から選択された番組の視聴が行われる場合（ステップＳ２８０）、制御部２０は、ステップＳ２５０と同様に、レコーダ３０に起動停止を指示し、レコーダ３０を電源オフ状態（スタンバイ状態）へ遷移させる。ただし、ステップＳ２６０，Ｓ２７０，Ｓ２８０の流れでは、現在番組リスト画面Ｇ２から選択された番組をユーザに視聴させるだけでなく、現在番組リスト画面Ｇ２から選択された番組の録画をするとしてもよい。つまり、ユーザはリモコン２等を操作することにより、現在番組リスト画面Ｇ２に表示された複数の番組の中から番組を任意に選択し、当該選択した番組を録画する旨を指示することができる。制御部２０は、当該録画の旨の指示をリモコン２等から受けた場合（ステップＳ２７０において“Ｙｅｓ”）、ステップＳ２８０へ進み、そのとき選択されている番組を録画することを、通信ＩＦ１９を通じてレコーダ３０に指示する。当該指示を受けたレコーダ３０は、現在番組リスト画面Ｇ２から選択された番組を放送するチャンネルを選局すべくチューナ３１を制御し、選局したチャンネルで放送中の番組を受信させ、受信した番組をＨＤＤ部３２に録画させる。むろん、制御部２０は、現在番組リスト画面Ｇ２から選択された番組を録画させる際には、レコーダ３０を起動させたままとする。
【００５０】
一方、現在番組リスト画面Ｇ２がディスプレイ１７に表示された後、ユーザがリモコン２等を操作することにより、現在番組リスト画面Ｇ２内の複数の番組のいずれの視聴もしない旨の指示をした場合（例えば、所定の停止キーを押した場合）、制御部２０は、ステップＳ２７０において“Ｎｏ”と判定してステップＳ２９０に進む。
【００５１】
次に、ステップＳ３２０以降について説明する。元チャンネルがＣＭを放送中であったタイミングでユーザがザッピングを行ったということは、元チャンネルの番組を視聴する意思が有ると推測されるため、ステップＳ３２０以降（厳密にはステップＳ３３０〜Ｓ３６０）では、このような推測に則した処理が行われる。
ステップＳ３２０では、制御部２０は、ステップＳ２１０で発生を検知したザッピングによる複数回のチャンネルの切り替えのうちの１回目のチャンネルの切り替え発生時が、各チャンネルにおいて一定時間以上に亘ってＣＭが放送される特定時間帯に該当するか否か判定し、特定時間帯に該当する場合にはステップＳ３７０（図５）へ進み、特定時間帯に該当しない場合にはステップＳ３３０へ進む。
【００５２】
特定時間帯とは、番組が終わって次の番組が始まるまでの時間帯の一種であり、比較的長い（例えば５分程度の）時間が確保された時間帯である。特定時間帯は、例えば、２１時５４分〜２２時００分というように予め決まっている。特定時間帯においては、各チャンネルでＣＭが放送される。また、特定時間帯には、天気予報等のごく短い番組（１，２分程度の番組）が放送されることもあるが、そのような短い番組が放送される時間も含めて特定時間帯は予め決められている。
【００５３】
特定時間帯に該当しない時間帯のＣＭ（元チャンネルの番組の本編途中に挿まれたＣＭ）中にザッピングが発生した場合、ステップＳ３３０において、制御部２０は、元チャンネルによるＣＭの放送が終了したか否かを判定する。制御部２０は、元チャンネル以外のチャンネルに切り替えられている状況下で、元チャンネルにかかる情報（これまで受信した元チャンネルのＴＳのパケットやパケットのヘッダ等）を解析することで、元チャンネルでＣＭが終了する時刻となったか否か繰り返し判定し、元チャンネルでＣＭが終了したタイミングで、ステップＳ３４０へ進む。あるいは、制御部２０は、チューナ１１が複数チャンネルを同時並行で受信可能であれば、ザッピングが発生した後も元チャンネルの受信を継続させ、元チャンネルでＣＭが終了したか否かを監視してもよい。
【００５４】
ステップＳ３４０では、制御部２０は、元チャンネルを選局するようにチューナ３１を制御し、選局した元チャンネルで放送中の番組を受信させ、受信した番組をディスプレイ１７に表示させ、かつ当該番組の音声をスピーカから出力させる。つまり、元チャンネルが選局されていた状況（ステップＳ２００）で、特定時間帯ではないＣＭ放送中にザッピングが発生した場合（ステップＳ２１０，Ｓ２３０において“Ｙｅｓ”かつステップＳ３２０において“Ｎｏ”）、制御部２０は、ユーザが任意にチャンネルを切り替えることは許容しつつも、元チャンネルでＣＭの放送が終わって放送内容が番組の本編に戻るタイミングで、強制的にチャンネルを元チャンネルに戻す。これによりユーザは、元チャンネルの番組の本編の視聴を再開することができる。ただし制御部２０は、元チャンネルでＣＭの放送が終わったタイミング（ステップＳ３３０において“Ｙｅｓ”）で、画面にメッセージを表示する等して元チャンネルに戻るか否かをユーザに確認し、元チャンネルに戻ることをユーザから指示された場合に、元チャンネルに戻るとしてもよい（ステップＳ３４０）。
【００５５】
ステップＳ３５０では、制御部２０は、リモコン２等の操作によりチャンネルの切り替えが指示されたか否かを判定する。このとき、チャンネルの切り替えの有無だけではなく、ザッピングに該当するチャンネルの切り替えが発生しているか否かも併せて判定する。ここでチャンネルの切り替えが無いと判定した場合、制御部２０は、ステップＳ３６０へ進む。ステップＳ３６０では、番組の視聴状態については何も変えない。つまり、そのとき選局されているチャンネル（元チャンネル）で受信される番組を引き続きディスプレイ１７に表示させ、かつ当該番組の音声をスピーカから出力させる。加えて、制御部２０は、通信ＩＦ１９を介してレコーダ３０へ起動停止を指示する。起動停止の指示を通信ＩＦ３９を介して受信したレコーダ３０は起動停止して電源オフ状態（スタンバイ状態）へ戻る。
【００５６】
ステップＳ３５０で、チャンネルの切り替えが発生したがザッピングには該当しない切り替えであると判定した場合、制御部２０は、ステップＳ２５０へ進む。つまり、そのとき選局されているチャンネル（元チャンネルではないチャンネル）で受信される番組をディスプレイ１７に表示させ、かつ当該番組の音声をスピーカから出力させる。加えて、制御部２０は、通信ＩＦ１９を介してレコーダ３０へ起動停止を指示する。起動停止の指示を通信ＩＦ３９を介して受信したレコーダ３０は起動停止して電源オフ状態（スタンバイ状態）へ戻る。
【００５７】
ステップＳ３５０で、ザッピングに該当するチャンネルの切り替えが発生したと判定した場合、制御部２０は、ステップＳ２６０へ進む。つまり、ステップＳ３４０で元チャンネルに戻った後に、再びザッピングが発生した場合には、現在番組リスト画面Ｇ２をユーザに提示する。
【００５８】
ここまで説明した第２実施例によれば、ＴＶ１０では、元チャンネルが、ステップＳ２１０で検知されたザッピングを構成する１回目のチャンネルの切り替え発生時に番組の本編を放送中であれば、ユーザは元チャンネルの番組を視聴する意思が無い（少ない）という推測の下、ザッピングにより切り替えられる先のチャンネルが番組の本編を放送中である状態が繰り返される場合には（ステップＳ２４０において“Ｙｅｓ”）、即、ステップＳ２９０でレコーダ３０に記録済みコンテンツの情報を要求するため、迅速にコンテンツリスト画面Ｇ１がユーザに提示される（ステップＳ３００）。一方、ザッピングにより切り替えられる先のチャンネルがＣＭを放送中である状態が繰り返される場合には（ステップＳ２４０において“Ｎｏ”）、まず現在番組リスト画面Ｇ２が提示され（ステップＳ２６０）、現在番組リスト画面Ｇ２から視聴対象とする番組が選択されなかった場合に（ステップＳ２７０において“Ｎｏ”）、次なる提案として、コンテンツリスト画面Ｇ１がユーザに提示される（ステップＳ２９０，Ｓ３００）。
【００５９】
また、ＴＶ１０では、元チャンネルが、ステップＳ２１０で検知されたザッピングを構成する１回目のチャンネルの切り替え発生時にＣＭ（ただし特定時間帯のＣＭを除く。）を放送中であれば、ユーザは元チャンネルの番組を視聴する意思が有るという推測の下、他のチャンネルが選局されていても、元チャンネルでＣＭの放送が終わったタイミングで自動的に元チャンネルを選局するとした（ステップＳ３４０）。その上で、再度、ザッピングが発生した場合に、次なる提案として現在番組リスト画面Ｇ２が提示され（ステップＳ３４０→Ｓ３５０→Ｓ２６０）、現在番組リスト画面Ｇ２から視聴対象とする番組が選択されなかった場合に（ステップＳ２７０において“Ｎｏ”）、次なる提案として、コンテンツリスト画面Ｇ１がユーザに提示される（ステップＳ２９０，Ｓ３００）。
つまり、第２実施例によれば、ザッピングが発生したときの元チャンネルの放送内容（本編またはＣＭ）や、ザッピングで切り替えられる先の放送内容（本編かＣＭ）や、再度元チャンネルを選局した後のザッピングの発生に応じて、そのときのユーザの心境に対して最適と思われる情報の提案が実現されると言える。
【００６０】
さらに第２実施例の説明を続ける。
上述したように、制御部２０は、ステップＳ２１０で発生を検知したザッピングによる複数回のチャンネルの切り替えのうちの１回目のチャンネルの切り替え発生時が特定時間帯に該当する場合、ステップＳ３７０（図５）へ進む。
ステップＳ３７０では、制御部２０は、ＯＳＤ部１４に各チャンネルで特定時間帯終了後に視聴可能な番組のリストの作成を指示し、ＯＳＤ部１４が、ＥＰＧデータ抽出部１３によって抽出されているＥＰＧデータを参照して、各チャンネルで特定時間帯終了後に視聴可能な番組のリストである第３リスト（次枠番組リスト画面Ｇ３）を生成する。このような次枠番組リスト画面Ｇ３を表すＯＳＤ信号が、合成部１５、出力部１６を通じて、ディスプレイ１７へ出力される。この結果、ステップＳ３７０では、ディスプレイ１７に次枠番組リスト画面Ｇ３が表示される。
【００６１】
図７は、ステップＳ３７０でディスプレイ１７に表示される次枠番組リスト画面Ｇ３の一例である。次枠番組リスト画面Ｇ３には、ＴＶ１０が放送信号を受信可能なチャンネル毎の、特定時間帯終了後に放送される番組（例えば、特定時間帯が２１時５４分〜２２時００分であれば、２２時００分から放送される番組）のタイトル等が列挙されている。なお、次枠番組リスト画面Ｇ３には、特定時間帯終了後に放送される番組に加えて、現在の時間帯の番組の情報等も記載されていてもよい。
【００６２】
次枠番組リスト画面Ｇ３が表示された後は、制御部２０は、外部からの操作（ユーザが使用するリモコン２等の操作）に応じて、次枠番組リスト画面Ｇ３に挙げられたいずれかの番組を視聴する旨の指示を受けたか否か判定する（ステップＳ３８０）。ユーザは、リモコン２等を操作することにより、次枠番組リスト画面Ｇ３に表示された複数の番組の中から番組を任意に選択し、例えば所定の決定キーを押すことで、当該選択した番組を視聴する旨を指示することができる。制御部２０は、当該視聴の旨の指示をリモコン２等から受けた場合（ステップＳ３８０において“Ｙｅｓ”）、ステップＳ３９０へ進み、そのとき選択されている番組を放送するチャンネルを選局すべくチューナ１１を制御し、選局したチャンネルで放送中の番組を受信させる。この結果、しばらく（例えば数分程度）は特定時間帯のＣＭが続くが、ＣＭ明けには次枠番組リスト画面Ｇ３からユーザが選択した番組の映像がディスプレイ１７に表示され、かつ当該番組の音声がスピーカから出力される。つまり、次枠番組リスト画面Ｇ３からユーザが選択した番組をユーザに視聴させる。
【００６３】
なお、次枠番組リスト画面Ｇ３から選択された番組の視聴が行われる場合（ステップＳ３９０）、制御部２０は、ステップＳ２５０と同様に、レコーダ３０に起動停止を指示し、レコーダ３０を電源オフ状態（スタンバイ状態）へ遷移させる。ただし、ステップＳ３７０，Ｓ３８０，Ｓ３９０の流れにおいても、次枠番組リスト画面Ｇ３から選択された番組をユーザに視聴させるだけでなく、次枠番組リスト画面Ｇ３から選択された番組の録画をする（予約録画する）としてもよい。つまり、ユーザはリモコン２等を操作することにより、次枠番組リスト画面Ｇ３に表示された複数の番組の中から番組を任意に選択し、当該選択した番組を録画する旨を指示することができる。制御部２０は、当該録画の旨の指示をリモコン２等から受けた場合（ステップＳ３８０において“Ｙｅｓ”）、ステップＳ３９０へ進み、そのとき選択されている番組を予約録画することを、通信ＩＦ１９を通じてレコーダ３０に指示する。当該予約録画の指示を受けたレコーダ３０は、予約録画の対象として次枠番組リスト画面Ｇ３から選択された番組の放送時刻になったら、当該番組を放送するチャンネルを選局すべくチューナ３１を制御し、選局したチャンネルで放送中の番組を受信させ、受信した番組をＨＤＤ部３２に録画させる。むろん、制御部２０は、次枠番組リスト画面Ｇ３から選択された番組を予約録画させる際には、レコーダ３０を起動させたままとする。
【００６４】
一方、次枠番組リスト画面Ｇ３がディスプレイ１７に表示された後、ユーザがリモコン２等を操作することにより、次枠番組リスト画面Ｇ３内の複数の番組のいずれの視聴もしない旨の指示をした場合（例えば、所定の停止キーを押した場合）、制御部２０は、ステップＳ３８０において“Ｎｏ”と判定してステップＳ２９０に進む。
【００６５】
このような第２実施例によれば、特定時間帯（つまり、元チャンネルの番組の本編が終わった時間帯）にザッピングが発生した場合、ユーザは、今後視聴したい番組を探していると推測されることから、特定時間帯後に各チャンネルで放送される番組のリスト（次枠番組リスト画面Ｇ３）をユーザに提示するとした。そのため、特定時間帯後のテレビ視聴をユーザに円滑に行わせることができる。また、次枠番組リスト画面Ｇ３から視聴対象とする番組が選択されなかった場合に（ステップＳ３８０において“Ｎｏ”）、次なる提案として、コンテンツリスト画面Ｇ１がユーザに提示される（ステップＳ２９０，Ｓ３００）ことで、次枠番組リスト画面Ｇ３から視聴したい番組を見つけられなかったユーザに対して有用な情報を提供することができる。
【００６６】
（第３実施例）
図８は、第３実施例にかかるコンテンツ案内処理を示すフローチャートである。当該フローチャートの各ステップは、制御部２０による制御下で実行される。
ステップＳ４００，Ｓ４１０，Ｓ４２０は、図２のステップＳ１００，Ｓ１１０，Ｓ１２０と同じである。
【００６７】
ステップＳ４３０では、制御部２０は、元チャンネルがステップＳ４１０で発生を検知したザッピングによる複数回のチャンネルの切り替えのうちの１回目のチャンネルの切り替え発生時に放送していた番組のジャンルを特定する。つまり、ユーザがザッピングを開始したとき、それまで視聴していた元チャンネルの番組のジャンルが何であるかを特定する。ここで言う番組のジャンルとは、ニュース、スポーツ、映画・ドラマ、バラエティ、ドキュメンタリー…等であり、ＥＰＧデータ抽出部１３が抽出済みのＥＰＧデータを参照して特定する。ここでは、元チャンネルで放送していた番組のジャンルが「ニュース」であるとして説明を続ける。
【００６８】
ステップＳ４４０，Ｓ４５０は、図２のステップＳ１３０，Ｓ１４０と同じである。
制御部２０は、ステップＳ４４０において、前記ザッピングが継続していないと判定した場合は、ステップＳ４６０へ進む。ステップＳ４６０では、制御部２０は、ＯＳＤ部１４に、各チャンネルで今後（現在を含む）視聴可能な番組のうち前記特定されたジャンルの番組（ニュース番組）のリストの作成を指示し、ＯＳＤ部１４が、ＥＰＧデータ抽出部１３によって抽出されているＥＰＧデータを参照して、各チャンネルで今後（現在を含む）視聴可能な前記特定されたジャンルの番組のリストである第４リスト（同ジャンル番組リスト画面Ｇ４）を生成する。このような同ジャンル番組リスト画面Ｇ４を表すＯＳＤ信号が、合成部１５、出力部１６を通じて、ディスプレイ１７へ出力される。この結果、ステップＳ４６０では、ディスプレイ１７に同ジャンル番組リスト画面Ｇ４が表示される。
【００６９】
図９は、ステップＳ４６０でディスプレイ１７に表示される同ジャンル番組リスト画面Ｇ４の一例である。同ジャンル番組リスト画面Ｇ４には、ＴＶ１０が放送信号を受信可能なチャンネル毎の、例えば現在の時間帯を含めて今後（本日中に）放送される予定のニュース番組のタイトル等が列挙されている。
【００７０】
同ジャンル番組リスト画面Ｇ４が表示された後は、制御部２０は、外部からの操作（ユーザが使用するリモコン２等の操作）に応じて、同ジャンル番組リスト画面Ｇ４に挙げられたいずれかの番組を視聴する旨の指示を受けたか否か判定する（ステップＳ４７０）。ユーザは、リモコン２等を操作することにより、同ジャンル番組リスト画面Ｇ４に表示された複数の番組の中から番組を任意に選択し、例えば所定の決定キーを押すことで、当該選択した番組を視聴する旨を指示することができる。制御部２０は、当該視聴の旨の指示をリモコン２等から受けた場合（ステップＳ４７０において“Ｙｅｓ”）、ステップＳ４８０へ進み、そのとき選択されている番組を放送するチャンネルを選局すべくチューナ１１を制御し、選局したチャンネルで放送中の番組を受信させる。この結果、同ジャンル番組リスト画面Ｇ４からユーザが選択した番組の放送時間になれば、当該番組の映像がディスプレイ１７に表示され、かつ当該番組の音声がスピーカから出力される。つまり、同ジャンル番組リスト画面Ｇ４からユーザが選択した番組をユーザに視聴させる。
【００７１】
なお、同ジャンル番組リスト画面Ｇ４から選択された番組の視聴が行われる場合（ステップＳ４８０）、制御部２０は、ステップＳ４５０と同様に、レコーダ３０に起動停止を指示し、レコーダ３０を電源オフ状態（スタンバイ状態）へ遷移させる。ただし、ステップＳ４６０，Ｓ４７０，Ｓ４８０の流れでは、同ジャンル番組リスト画面Ｇ４から選択された番組をユーザに視聴させるだけでなく、同ジャンル番組リスト画面Ｇ４から選択された番組の録画をする（予約録画する）としてもよい。つまり、ユーザはリモコン２等を操作することにより、同ジャンル番組リスト画面Ｇ４に表示された複数の番組の中から番組を任意に選択し、当該選択した番組を録画する旨を指示することができる。制御部２０は、当該録画の旨の指示をリモコン２等から受けた場合（ステップＳ４７０において“Ｙｅｓ”）、ステップＳ４８０へ進み、そのとき選択されている番組を予約録画することを、通信ＩＦ１９を通じてレコーダ３０に指示する。当該予約録画の指示を受けたレコーダ３０は、予約録画の対象として同ジャンル番組リスト画面Ｇ４から選択された番組の放送時刻になったら、当該番組を放送するチャンネルを選局すべくチューナ３１を制御し、選局したチャンネルで放送中の番組を受信させ、受信した番組をＨＤＤ部３２に録画させる。むろん、制御部２０は、同ジャンル番組リスト画面Ｇ４から選択された番組を予約録画させる際には、レコーダ３０を起動させる。また、同ジャンル番組リスト画面Ｇ４を見たユーザは、例えば、２時間後にあるチャンネルでニュース番組が放送されることを認識したら、ＴＶ１０およびレコーダ３０を電源オフにして（図８のフローチャートを終了させて）、２時間後にＴＶ１０を電源オンにしてニュース番組の視聴を開始することも可能である。
【００７２】
一方、同ジャンル番組リスト画面Ｇ４がディスプレイ１７に表示された後、ユーザがリモコン２等を操作することにより、同ジャンル番組リスト画面Ｇ４内の複数の番組のいずれの視聴もしない旨の指示をした場合（例えば、所定の停止キーを押した場合）、制御部２０は、ステップＳ４７０において“Ｎｏ”と判定してステップＳ４９０に進む。ステップＳ４９０は、図２のステップＳ１５０と同じである。図８においても、図２と同様の内容であるがレコーダ３０側の動作（の一部）を破線で囲った矩形内に記している。また、ステップＳ５００，Ｓ５１０は、図２のステップＳ１６０，Ｓ１７０と同じである。
【００７３】
このような第３実施例によれば、あるチャンネル（元チャンネル）で放送中の番組を視聴しているときにザッピングが発生した場合、それまで元チャンネルで放送されていた番組のジャンルが特定され、当該特定されたジャンルの番組のリストである同ジャンル番組リスト画面Ｇ４がユーザに提示される。例えば、世界的なスポーツイベントが開催されている期間や、大きな事故や事件が起きたときは、各チャンネルの様々な時間帯のニュース番組で、それらイベントや事故や事件に関する報道が繰り返し流される。ユーザは、あるチャンネル（元チャンネル）で前記スポーツイベントに関するニュース番組を視聴しているときに、ザッピングを行うことで、現在以降に今日各チャンネルで放送されるニュース番組のみを抽出した番組表（同ジャンル番組リスト画面Ｇ４）を見ることができる。従って、同ジャンル番組リスト画面Ｇ４を参照することで、例えば、２時間後に他のチャンネルでニュース番組が放送されることを知り、実際に２時間後に、当該他のチャンネルでニュース番組を視聴することで、前記スポーツイベントの続報等を知ることができる。また、同ジャンル番組リスト画面Ｇ４を参照して２時間後に他のチャンネルでニュース番組が放送されることを知ったユーザは、同ジャンル番組リスト画面Ｇ４内のいずれの番組も視聴もしない旨の指示をすることで（ステップＳ４７０→Ｓ４９０）、一旦コンテンツリスト画面Ｇ１を表示させ（ステップＳ５００）、前記他のチャンネルでニュース番組が放送されるまでの２時間はコンテンツリスト画面Ｇ１から選択したコンテンツを再生させて（ステップＳ５１０）、当該２時間を有効に過ごすこともできる。
【００７４】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００７５】
１…システム、２…リモコン、１０…ＴＶ、１１…チューナ、１２…信号処理部、１３…ＥＰＧデータ抽出部、１４…ＯＳＤ部、１５…合成部、１６…出力部、１７…ディスプレイ、１８…リモコン受信部、１９…通信ＩＦ、２０…制御部、３０…レコーダ、３１…チューナ、３２…ＨＤＤ部、３３…ＤＶＤ部、３４…信号処理部、３５…ＯＳＤ部、３６…合成部、３８…リモコン受信部、３９…通信ＩＦ、４０…制御部、Ｇ１…コンテンツリスト画面、Ｇ２…現在番組リスト画面、Ｇ３…次枠番組リスト画面、Ｇ４…同ジャンル番組リスト画面
【図１】
2016009910.tif 000003
【図２】
2016009910.tif 000004
【図３】
2016009910.tif 000005
【図４】
2016009910.tif 000006
【図５】
2016009910.tif 000007
【図６】
2016009910.tif 000008
【図７】
2016009910.tif 000009
【図８】
2016009910.tif 000010
【図９】
2016009910.tif 000011